(57)【特許請求の範囲】
【請求項１】
消費飲み物と一緒に用いるシステムであって、前記システムは、マウス１４を備える容器１２と、
前記容器１２に分離可能に係合できる蓋１６であって、前記蓋１６は、その中に少なくとも熱エネルギー貯蔵部材４４の一部と係合するための環状部分３４を有している蓋１６と、
前記容器１２の前記マウス１４内に座着可能なカラー１８であって、前記カラー１８はその中に開口を画定するカラー１８と、
前記カラー１８の前記開口および前記蓋１６の前記環状部分３４において両部材と分離可能に選択的に係合できる熱エネルギー貯蔵部材４４であって、前記熱エネルギー貯蔵部材４４は、前記環状部分３４と組み合わさって、前記蓋１６を貫通する液体通路２６を形成するような少なくとも1つの溝２４を備え、前記液体通路２６はストローを用いない、熱エネルギー貯蔵部材４４と、
を備えるシステム。
【請求項２】
前記熱エネルギー貯蔵部材は、前記カラーとの組み合わせにおいて、前記カラーを通過する１つの液体通路を適切に形成するための少なくとも１つの溝を有する請求項１記載のシステム。
【請求項３】
前記カラーは、それを通して第２の液体通路を創出する少なくとも１つのベントを規定している請求項２記載のシステム。
【請求項４】
前記開口内には、前記熱エネルギー貯蔵部材と適切に係合する少なくとも１つのねじ山が配置されている請求項２記載のシステム。
【請求項５】
前記蓋は、前記熱エネルギー貯蔵部材の少なくとも一部を内部に収容するための管状部分を有し、前記熱エネルギー貯蔵部材は、前記管状部分との組み合わせにおいて、前記蓋を通過する液体の通路を適切に形成する少なくとも１つの溝を有する請求項１記載のシステム。
【請求項６】
前記管状部分内に少なくとも１つのねじ山が配置されており、前記熱エネルギー貯蔵部材と適切に係合する請求項５記載のシステム。
【請求項７】
前記熱エネルギー貯蔵部材の一方の端部は、前記熱エネルギー貯蔵部材が前記容器の長手方向軸に沿って整合するように、前記カラーおよび／または前記蓋に取り付けることができる請求項１記載のシステム。
【請求項８】
前記カラーは、それが前記マウス内に坐着されたとき、および、前記蓋が前記容器と取り外し可能に係合されたとき、定位置に固定されることができる請求項１記載のシステム。
【請求項９】
前記熱エネルギー貯蔵部材は、再凍結可能な材料を含む請求項１記載のシステム。
【請求項１０】
前記熱エネルギー貯蔵部材は、再加熱可能な材料を含む請求項１記載のシステム。
【請求項１１】
前記熱エネルギー貯蔵部材は、ゼラチン状の材料を含む請求項１記載のシステム。
【請求項１２】
前記熱エネルギー貯蔵部材は、回転ロック機構を介して前記蓋と係合することが可能である請求項１記載のシステム。
【請求項１３】
前記回転ロック機構は、前記蓋の内側面の一部に沿って延出する１つのねじ山と、前記ねじ山を離脱可能に受け入れる前記熱エネルギー貯蔵部材内の１つの凹部とを有し、前記ねじ山と前記凹部は、前記熱エネルギー貯蔵部材が、前記熱エネルギー貯蔵部材の一方の端部を前記蓋の管状部分内に完全に挿入することによって、そして、前記熱エネルギー貯蔵部材を前記凹部内の前記ねじ山に配置するために横方向に回転することによって、前記蓋としっかりと係合することができるように造形されている請求項１２記載のシステム。
【請求項１４】
前記蓋は更に、前記容器と適切に係合し、１つの内側面を備える本体を含み、前記内側面は、前記熱エネルギー貯蔵部材の少なくとも一部を適切に収容しており、前記内側面は、前記熱エネルギー貯蔵部材との組み合わせにおいて、前記熱エネルギー貯蔵部材に沿うとともに前記本体を通る１つの液体通過路を適切に形成している請求項１２記載のシステム。
【請求項１５】
前記熱エネルギー貯蔵部材は、前記カラーとの組み合わせにおいて、前記カラーを通過する少なくとも１つの液体通路を適切に形成する少なくとも１つの溝を有し、前記少なくとも１つの液体通路は、前記熱エネルギー貯蔵部材の表面と、前記カラーの開口内の内側のカラー面とによって規定されている請求項１４記載のシステム。
【請求項１６】
前記カラーは、液体を容器の上方部分から前記容器の前記マウスに適切に直接向ける第２の液体通路を創出するために、それを通過する少なくとも１つのベントを規定している請求項１５記載のシステム。
【請求項１７】
前記蓋は、前記熱エネルギー貯蔵部材の少なくとも一部を収容するために前記蓋の内側面に配置された管状部分を含み、前記熱エネルギー貯蔵部材は、前記管状部分との組み合わせにおいて、前記蓋を通る少なくとも１つの液体通路を適切に形成する少なくとも１つの溝を有し、前記少なくとも１つの液体通路は、前記熱エネルギー貯蔵部材の表面と前記管状部分の表面とによって規定される請求項１５記載のシステム。
【請求項１８】
前記熱エネルギー貯蔵部材は、前記蓋と取り外し可能に係合することができる請求項１５記載のシステム。
【請求項１９】
前記熱エネルギー貯蔵部材は、前記回転ロック機構を介して前記蓋と係合することができ、前記熱エネルギー貯蔵部材は、前記熱エネルギー貯蔵部材の一方の端部を前記蓋の管状部分に完全に挿入し、次いで、前記熱エネルギー貯蔵部材を３６０度よりも少ない最大回転円弧だけ横方向に回転して、前記熱エネルギー貯蔵部材を前記蓋の内部に固定する請求項１５記載のシステム。
【請求項２０】
前記カラーは、第２の液体通路を創出して液体を前記容器の上方部から前記容器の前記マウスに適切に向けるために少なくとも１つのベントを規定する請求項１９記載のシステム。
【発明の詳細な説明】
【０００１】
【発明の属する技術分野】
この発明は、消費飲み物の品質の向上を促進するデバイスと方法を目指しており、より特定して言えば、消費飲み物の利用システムと冷たい消費飲み物を調製する方法を目指している。
【０００２】
【従来の技術】
【特許文献１】
ＵＳ特許第６,４１５,６２４号明細書
【特許文献２】
ＵＳ特許第６,１７９，１４６号明細書
【特許文献３】
ＵＳ特許第６，２２４，９２２号明細書
【特許文献４】
ＵＳ特許第６，４９４，３２２号明細書
【特許文献５】
ＵＳ特許第４０７，９４６号明細書
【特許文献６】
ＵＳ特許第５，９８４，１４１号明細書
【特許文献７】
ＵＳ特許第５，９９２，７０２号明細書
【特許文献８】
ＵＳ特許第６，１６１，７７７号明細書
【特許文献９】
ＵＳ特許第６，００６，９５２号明細書
【特許文献１０】
ＪＰ２００２３８８２２Ａ
飲み物は典型的には、所望の飲み物温度を維持するために角氷を用いて冷やされる。しかしながら、角氷の使用は結果的に、角氷の溶解から発生する水の導入が原因で飲み物を希釈化することになる。更には、飲み物容器が傾けられたとき角氷の予期しない移動によって発生するボトルの重心の突然の変化が原因となって飲み物をこぼしたり、満たされた飲み物のボトルが不恰好になるのを発見する人々もいる。
【０００３】
この困難を克服するために、ドリンクボトルに用いるために再凍結可能な挿入体が開発されているいる。これらの再凍結可能な挿入体は、ドリンクボトル中に置かれて飲み物を冷えた状態に保つ。しかしながら、再凍結可能な挿入体をドリンクボトル中に満足が行くように固定する方法は、未だ未開発のままである。
【０００４】
【発明が解決しようとする課題】
求められているのは明らかに、熱エネルギー貯蔵部材を容器中にしっかりと装着する消費飲み物と一緒に用いる方法とシステムであり、前記の方法とシステムとは、それによれば、熱エネルギー貯蔵部材を容器のカラー或いは蓋のどちらか一方に好ましく装着することができ、熱エネルギー貯蔵部材を固定するための回転ロック接続方式を作用させる１つのケースを好ましく組み込み、そして、他のシステムコンポーネントを取り除く必要なしにこの熱エネルギー貯蔵部材を容易に取り外すことができるものであり、子供によって容易に楽しく使用できるものである。
【０００５】
【課題を解決するための手段】
この発明の１具体例は、消費飲み物と共用するための１つのシステムに向けられている。このシステムは、マウスを備える容器を含んでいる。１つの蓋が取り外し可能に容器と係合する。１つのカラーが、容器のマウス内に適切に坐着される。このカラーは、その入り口を規定する。１つの熱エネルギー貯蔵部材が、カラーおよび／または蓋内で入り口と係合する。
【０００６】
この発明の別の具体例が、消費飲み物容器のマウスの近傍で熱エネルギー貯蔵部材の一方の端部を支持するためにカラーに向けられる。このカラーは、マウスの形を補完するための輪郭を備える本体を含んでいる。この本体が、貫通口を規定する。この開口は、熱エネルギー貯蔵部材の端部と適切に係合する。
【０００７】
この発明の別の具体例が、熱エネルギー貯蔵部材と適切に係合する容器の蓋に向けられる。この蓋は、容器と適切に係合し、１つの内側面を備える本体を含む。この内側面は、熱エネルギー貯蔵部材の少なくとも一部をその内部に適切に収容する。この内側面は、熱エネルギー貯蔵部材との組み合わせにおいて、熱エネルギー貯蔵部材に沿うとともに本体を通る液体の通路を適切に形成する。
【０００８】
この発明の別の具体例は、冷えた消費飲み物を調製する方法に向けられる。この方法は、マウスを備える容器を調製すること、消費飲み物を容器内に配置すること、熱エネルギー貯蔵部材を冷却すること、冷却された熱エネルギー貯蔵部材を、冷却された熱エネルギー貯蔵部材が消費飲み物と接触してこれを容器中で冷やすように容器内に挿入すること、冷えた熱エネルギー貯蔵部材を容器のマウスの近傍に坐着するカラーを介して容器中にしっかりと配置することを含む。
【０００９】
この発明の別の具体例が、消費飲み物と一緒に用いるシステムに向けられる。このシステムは、マウスを備える容器を含む。１つの蓋が容器と取り外し可能に係合することができる。１つの熱エネルギー貯蔵部材が回転ロック機構を介して蓋と取り外し可能に係合することができる。
【００１０】
以上の概要は、以下のこの発明の好ましい具体例の説明と同様に、添付図面と関連させて読むとき一層よく理解されるであろう。発明を記述するために、添付図面には、現時点において好ましい１つの具体例が図示されている。しかしながら、この発明が、構造体そのものおよび図示の手段のみに限定されるものではないことを理解すべきである。
【００１１】
【発明の実施の形態】
以下の説明においては、便宜のためだけにそして非限定的に特別なターミノロジーが用いられる。用語「右」、「左」、「上部」、「下部」は、参照される図面における方向を指定する。用語「内側」、「外側」は、消費飲み物と一緒に用いるシステムの幾何学的中心とその指定パーツへの接近と離間の方向を意味する。このターミノロジーは、上記の特定的に言及される用語とそれらの派生語および同様に重要な用語を含む。更に、用語「１」と「１つ」は、特にそうではないと指示されない限り、１またはそれよりも多い言及されたアイテムを含むものとして定義される。
【００１２】
図１〜９を参照すれば、同じ番号は、全体を通して同じ部材を指示しており、消費飲み物と一緒に用いられるシステムの好ましい具体例が図示され、符号１０で一般的に指定される。
【００１３】
簡潔に説明すれば、このシステムは、飲み物４８を包囲するための容器１０と、その内部にあって飲み物４８を冷たい状態か熱い状態かのどちらかに保つための熱エネルギー貯蔵部材４４を含んでいる。この熱エネルギー貯蔵部材４４は、従来の回転ロック方式を介して(更に以下に説明する)カラー１８または(更に以下に説明する)蓋１６のどちらか一方に固定されることが好ましい。この方式によって、熱エネルギー貯蔵部材４４は、前記のどちらかのコンポーネントから容易に取り外すことができるので、熱エネルギー貯蔵部材４４が加熱または冷却されている間は、システム１０の残余の部分が飲み物と一緒に使用されることができる。更に、システム１０は、複数の交換可能な熱エネルギー貯蔵部材４４のうちの１つと一緒に使用することができ、システム１０の連続使用に先行して、１つの熱エネルギー貯蔵部材４４を再凍結または再加熱するために待たされることに起因する遅延を回避することができる。
【００１４】
このシステム１０とそのコンポーネントパーツは、好ましくは、ポリマーのような強く、反応性がない、耐久性の材料で形成される。しかしながら、当業者は、この開示からシステム１０とその様々なコンポーネントが飲み物と一緒に使用するすることが適当な任意の材料から形成されることを理解するであろう。この熱エネルギー貯蔵部材４４は、ゲルのパックに用いられるような無毒の材料のような再凍結可能な材料および／または再加熱可能な材料で形成されるゼラチン質の素材を有することが好ましい。
【００１５】
図１、２を参照すれば、消費飲み物４８と一緒に用いるシステム１０は、マウス１４を備える容器１２を含んでいる。容器１２がスポーツボトルの一部であることは好ましいが、当業者ならば、この開示から任意のタイプの容器１２がこの発明のシステム１０と一緒に用いることができる点を理解するであろう。同様に、容器１２のマウス１４は、ほぼ円形であることが好ましいけれども、当業者ならばこの開示からマウス１４は、この発明の精神を逸脱しない範囲で任意の形状を備えることができる点を理解するであろう。
【００１６】
容器１２は、蓋１６を係合するために、マウス１４の近くに容器１２の周辺部の実質的な部分のほぼ周囲に配置された少なくとも１つのねじ山を備えることが好ましい。それに代えて、容器１２は、この発明の範囲を逸脱せずにスナップ係合を介して蓋１６と係合することができる。
【００１７】
図４に最もよく示されているように、蓋１６は、少なくとも１つの蓋のねじ山５４を少なくとも１つの容器のねじ山５２と係合させることによって容器１２と取り外し可能に係合することができることが好ましい。少なくとも１つの蓋のねじ山５４は、蓋１６の内側面の周囲にほぼ実質的に延出しており、蓋１２を取り外し可能に係合する。蓋１６は、容器の不使用時にはこれをシールすることが可能なようにプルトップ５６を含むことが好ましい。
【００１８】
図４、５、７および８に示すように、蓋１６は、少なくとも１つの熱エネルギー貯蔵部材を内部に収容するために、管状部分３４を備えることが好ましい。この管状部分３４は、好ましくはほぼシリンダー状である。
【００１９】
熱エネルギー貯蔵部材４４は、蓋１６または(以下で更に説明する)カラー１８の一方に取り付けられることが可能である。熱エネルギー貯蔵部材４４と蓋１６の間の接続は、次の通りである。図２、４、７を参照すれば、熱エネルギー貯蔵部材４４は、好ましくは、少なくとも１つの溝２４を備え、管状部分３４との組み合わせにおいて、カラー１８がシステム１０と一緒に用いられない場合に、蓋１６を通過する液体の通路２６を適切に形成する。溝２４は、熱エネルギー貯蔵部材４４の上方端部６２の向き合う両側に配置されることが好ましい。各溝２４は、熱エネルギー貯蔵部材４４の内部に向かって延出して、フレアーなセクション５８を形成することが好ましい。
【００２０】
図８を参照すると、熱エネルギー貯蔵部材４４が蓋１６と係合しているとき、熱エネルギー貯蔵部材４４の１つの肩部６０は、管状部分３４の底端部と接触するか、その近傍に位置することが好ましい。溝２４のフレアーなセクション５８は、飲物４８が、このフレアーなセクション５８と管状部分３４(すなわち、液体の通路２６)を通過して容器１２から流出することを可能にする。
【００２１】
図２、７、８に最もよく示されるように、熱エネルギー貯蔵部材４４の上端部６２は、ほぼ長方形状をなし、飲み物４８がそれを通過して容器１２から流出することが可能な液体の通路２６の一部を形成する開口部を残しつつ、その対向両端部６４が蓋１６の管状部分３４の内側面と係合することが好ましい。このように、蓋の内側面６６は、少なくとも１つの熱エネルギー貯蔵部材４４を適切に収容し、熱エネルギー貯蔵部材４４と組み合わさって、熱エネルギー貯蔵部材４４に沿うとともに蓋の本体５０を通過する液体の通路２６を適切に形成する。熱エネルギー貯蔵部材４４に沿う液体通路２６の経路設定は、消費の直前に飲み物４８をより効率的に冷却する(または加熱する)結果となる。
【００２２】
熱エネルギー貯蔵部材４４を係合するために、管状部分３４内に少なくとも１つのねじ山が設けられることが好ましい。熱エネルギー貯蔵部材４４の上端部の対向両端部６４は、蓋１６の管状部分のねじ山６８を受け入れるために補完的に造形された凹部７０を備えることが好ましい。したがって、管状部分の１つのねじ山６８は、回転ロック機構を用いて、蓋１６の内側面が熱エネルギー貯蔵部材４４と取り外し可能に係合することを可能にする。このことによって、熱エネルギー貯蔵部材４４の迅速且つ強固な装着が可能になる。更には、熱エネルギー貯蔵部材４４のこのしっかりした配置によって、ドリンクボトルが傾けられたとき容器の重心が過度に変わることが避けられる。
【００２３】
上記のように、熱エネルギー貯蔵部材４４は、カラー１８にも固定することができる。図２〜４を参照すれば、カラー１８は、容器のマウス１４内に適切に坐着する。支持部分７２がマウス１４の近くにおいて容器１２の内側面に配置されて、カラー１８の底部を抱持することが好ましい。このことによって、カラー１８がマウス１４の内側に滑りこんで、カラー１８の上面が、マウス１４の上縁部とほぼ整合するように支持部分７２によって抱持される。カラー１８は、開口２０を規定する本体４６を有しており、これが適切に、熱エネルギー貯蔵部材４４の上端部６２と係合する。開口２０は、ほぼシリンダー状であることが好ましいが必ずしも必須要件ではない。カラーの本体４６は、マウス１４の形状を補完する。
【００２４】
熱エネルギー貯蔵部材４４は、カラー１８との組み合わせにおいて、カラー１８を通過する液体の通路を適切に形成するために、少なくとも１つの溝２４を備えることが好ましい。図５を参照すれば、熱エネルギー貯蔵部材４４がカラーと係合するとき、熱エネルギー貯蔵部材４４の肩部６０が、カラー１８の下縁部７４と接するか、その近傍に位置することが好ましい。熱エネルギー貯蔵部材４４の肩部６０のほぼ真下である溝２４の位置は、飲み物４８が、カラー１８の下縁部の下方にある溝２４と液体の通路を通って移動することを可能にする。飲み物４８が、熱エネルギー貯蔵部材４４に沿って移動するに連れて、飲み物４８は冷却(または加熱)されて、飲む人に助長された楽しみを提供する。熱エネルギー貯蔵部材４４に沿う液体通路の経路設定は、消費の直前に飲み物４８をより効率的に冷却する(または加熱する)結果となる。
【００２５】
図３、図６を参照すれば、カラー１８は、その内部に少なくとも１つのベント２８を規定し、第２の液体通路３０を創出することが好ましい。この第２の液体通路３０は、容器内における改良された飲み物４８の流れを提供する。複数のベント２８は、熱エネルギー貯蔵部材４４から離間されることが好ましい。
【００２６】
熱エネルギー貯蔵部材４４と適切に係合するために、少なくとも１つのねじ山３２がカラーの開口に配置されることが好ましい。カラーのねじ山３２と熱エネルギー貯蔵部材４４内の凹部７０との係合は、熱エネルギー貯蔵部材４４と容器１２内において熱エネルギー貯蔵部材４４の強固な配置を提供するカラーとの間に回転ロック接続を可能にする。このことが、飲用システム全体の重心が、内部における熱エネルギー貯蔵部材４４の移動に起因して突然変化することを防止する。更に、熱エネルギー貯蔵部材４４とカラー１８の間の回転ロック係合は、所望するときに、熱エネルギー貯蔵部材４４の迅速且つ容易な取り外しと交換を提供する。熱エネルギー貯蔵部材４４が回転されてカラー１８に対してロックされるとき、カラー１８は、容器のマウス１４内にほぼ坐着され、蓋１６は、容器１２のマウス１４の上方に固定されて、熱エネルギー貯蔵部材４４とカラー１８が定位置に固定される。したがって、カラー１８は、それがマウス１４内に坐着され、蓋１６が容器１２と取り外し可能に係合されるとき、定位置に固定されることが可能である。
【００２７】
熱エネルギー貯蔵部材４４と、蓋１６またはカラー１８のいずれか一方との間の係合に関する上記の説明から明らかなように、熱エネルギー貯蔵部材４４は、カラー１８および／または蓋１６と取り外し可能に係合可能である。カラー１８または蓋１６に取り付けられる熱エネルギー貯蔵部材４４の上端部６２は、容器１２の長手方向軸４０に沿って整合可能である。
【００２８】
この発明はまた、冷えた消費飲み物を調製する方法にも関連する。この方法は、マウス１４を備える容器１２を調製するステップと、消費飲み物４８を容器内に配するステップとを含む。この方法はまた、熱エネルギー貯蔵部材４４を冷却すること、および、冷却された熱エネルギー貯蔵部材４４を、これが容器１２内に囲まれた飲み物４８を冷却するために、消費飲み物４８と接触するように、容器１２内に挿入することを含んでいる。冷却された熱エネルギー貯蔵部材４４は、容器１２のマウス１４の近傍に坐着されたカラー１８を介して容器１２内にしっかりと配置される。この発明の方法は、カラー１８を坐着位置に固定するマウス１４の上方に蓋１６を固定すること、および、冷却された熱エネルギー貯蔵部材４４を、熱エネルギー貯蔵部材４４に沿って、そして、カラー１８を通過して液体通路２６が形成されるように、カラー１８内の開口２０に挿入すること、を含むことが好ましい。この発明の方法は、それを通過する少なくともベント２８を備えて、カラー１８を通る第２の液体通路３０を形成するカラー１８を調製することを含むことが好ましい。この少なくとも１つのベント２８は、開口２０から離間されることが好ましい。
【００２９】
図１〜９を参照すれば、消費飲み物４８と一緒に用いるシステム１０の１具体例は次ぎのように作動する。蓋１６が、容器１２および組み合わされたカラー１８とから取り外され、熱エネルギー貯蔵部材４４が容器１２から取り出される。組み合わせカラー１８と熱エネルギー貯蔵部材４４とが、一旦容器１２から取り外されると、熱エネルギー貯蔵部材４４が回転されてその凹部７０がカラーのねじ山３２から離脱し、熱エネルギー貯蔵部材４４がカラー１８から分離される。
【００３０】
次に、熱エネルギー貯蔵部材４４が、所望にしたがって加熱されるか冷却されて、容器１２が消費飲み物４８で満たされ、加熱または冷却された熱エネルギー貯蔵部材４４が、カラー１８または蓋１６のどちらか一方と係合されて所望の飲み物温度を維持する。熱エネルギー貯蔵部材４４をカラー１８に取り付けるためには、熱エネルギー貯蔵部材４４の上端部６２が、カラー１８の開口２０内に挿入され、回転されて、前記上端部の凹部７０がカラーのねじ山３２と係合する。この回転ロックの特徴は、熱エネルギー貯蔵部材４４をカラー１８と容器１２に対してしっかりと位置決めすることである。
【００３１】
熱エネルギー貯蔵部材４４が一旦カラー１８に取り付けられると、この組み合わせ体が容器１２のマウス１４に挿入され、カラー１８の下側が支持部分７２と接している。次に、蓋１６がマウス１４の上方に固定されて、カラー１８が、支持部分７２と蓋１６の内側面の間で定位置に挟持される。
【００３２】
その代わりに、熱エネルギー貯蔵部材４４が蓋ｂ１６に取り付けられる場合は、熱エネルギー貯蔵部材４４の上端部６２が、蓋１６の管状部分３４内に挿入され、回転されて、その凹部７０が蓋のねじ山６８と係合する。したがって、熱エネルギー貯蔵部材４４は、熱エネルギー貯蔵部材４４がカラー１８に固定されるか、蓋１６に固定されるかを問わない有利な回転ロック方式を利用している。
熱エネルギー貯蔵部材は、回転ロック機構を介して蓋と係合することができ、熱エネルギー貯蔵部材は、熱エネルギー貯蔵部材の一方の端部を蓋の管状部分に完全に挿入し、次いで、熱エネルギー貯蔵部材を３６０度よりも少ない最大回転円弧だけ横方向に回転して、熱エネルギー貯蔵部材を蓋の内部に固定する。
【００３３】
熱エネルギー貯蔵部材４４の溝２４と、カラー１８または蓋１６のいずれか一方とによって形成される液体の通路は、飲み物４８を、熱エネルギー貯蔵部材４４に沿って容器１２のプルトップ５６に向かって流し、システムの熱伝達効率を促進する。更には、熱エネルギー貯蔵部材４４を、容器１２の長手方向軸に沿ってしっかりと配置することによって、容器を傾けることが原因となって起こるシステム１０の重心の突然の変化が減少される。このことは、容器１２の取り扱いを簡単にする。更には、熱エネルギー貯蔵部材４４を固定するための単純で効率的な回転ロック機構によって、システム１０が未だ飲用に使用できる場合であっても、冷却(または加熱)部材を取り外すことを可能にする。単一の蓋１６と容器１２の組み合わせについて、複数の熱エネルギー貯蔵部材４４を使用することができる。
【００３４】
この発明の広範な発明概念から逸脱しない範囲において、この発明の説明された上記の具体例に対して変更が加えられることが、当業者によって認識される。したがって、この発明は、開示された特別な具体例に限定されるものではなく添付クレームによって規定される発明の技術的範囲と精神の範囲内にあるすべての改変を包含することを意図する点を理解すべきである。
【図面の簡単な説明】
【図１】消費飲み物と一緒に用いるこの発明の好ましい具体例のシステムの斜視図。
【図２】蓋、カラー、熱エネルギー貯蔵部材、および容器の上部を示す図１のシステムの部分分解図。
【図３】図２のカラーの拡大斜視図。
【図４】カラー内の開口部に固定された熱エネルギー貯蔵部材を示す図１の4‐4線に沿う図１のシステムの横断面図。
【図５】熱エネルギー貯蔵部材とカラーの開口部内のねじ山の間の係合を示す図４の5‐5線に沿う図４のシステムの横断面図。
【図６】図４の6‐6線に沿う図４のシステムの横断面図であって、容器のマウス内に坐着したとき、カラーと熱エネルギー貯蔵部材を組み合わせた上平面図を示す。
【図７】カラーが取り外されているので熱エネルギー貯蔵部材が蓋と直接係合する図４のシステムを示す図５のそれと同様な図。
【図８】熱エネルギー貯蔵部材と蓋内部のねじ山の間の係合を示す図７の8‐8線に沿う図７のシステムの横断面図。
【図９】蓋の一部と係合したときの熱エネルギー貯蔵部材の上平面図を示す図７の9‐9線に沿う図７のシステムの横断面図。
【符号の説明】
１０…システム，１２…容器，１４…マウス，１６…蓋，１８…カラー，４４…熱エネルギー貯蔵部材。
【図１】
0004597471.tif 000002
【図２】
0004597471.tif 000003
【図３】
0004597471.tif 000004
【図４】
0004597471.tif 000005
【図５】
0004597471.tif 000006
【図６】
0004597471.tif 000007
【図７】
0004597471.tif 000008
【図８】
0004597471.tif 000009
【図９】
0004597471.tif 000010